(57)【特許請求の範囲】
【請求項１】
−燃料を収容することを意図され、且つ上壁（５）を備えた貯蔵部（２）と、
−前記上壁（５）を貫通した噴出部（６）と、
−少なくとも部分的に該噴出部（６）に配置されたガス分配デバイス（８）と、を具備し、
前記噴出部（６）は中心軸（Ｚ）に沿って延在し、且つ内壁を備え、
前記ガス分配デバイス（８）は前記内壁の少なくとも一部に面した外側剛体部（８ａ）を備えたガスライター（１）において、
該ガスライター（１）はさらに少なくとも１つの停止部（３０）を備えた弾性のチューブ要素（２２）を備え、該チューブ要素（２２）は前記噴出部（６）に組み付けられ、前記ガス分配デバイス（８）の前記剛体部（８ａ）はその中に挿入され、前記噴出部（６）は少なくとも１つの環状の第１端部（３４）を備え、該第１端部（３４）は前記中心軸（Ｚ）と中心が一致しており、且つ前記チューブ要素（２２）の前記停止部（３０）が前記弾性のチューブ要素（２２）内に挿入された前記ガス分配デバイス（８）の前記剛体部（８ａ）の動作の下で径方向外向きに曲げられ、前記第１端部（３４）は前記貯蔵部（２）の内側に向かって向けられており、
前記弾性のチューブ要素（２２）の前記停止部（３０）は前記噴出部（６）の環状の前記第１端部（３４）と気密に接触しており、シールがＯリングシール無しに確保されていることを特徴とするガスライター。
【請求項２】
前記第１端部（３４）は前記噴出部（６）の内側端であることを特徴とする請求項１に記載のガスライター。
【請求項３】
前記噴出部（６）は前記第１端部（３４）に対して反対に向けられた少なくとも１つの第２端部（３１、３７ａ）を備え、前記弾性のチューブ要素（２２）は前記第２端部（３１、３７ａ）に対して係合する少なくとも１つの停止部（２８、３０）を備えていることを特徴とする請求項１または２に記載のガスライター。
【請求項４】
前記第２端部（３７ａ）は前記第１端部（３４）に面し、該第１端部（３４）を含んだ面と第２端部（３７ａ）を含んだ面とは前記噴出部（６）の内壁に凹部を形成し、前記チューブ要素（２２）の前記停止部（３０）は前記弾性のチューブ要素（２２）内に挿入された前記ガス分配デバイス（８）の前記剛体部（８ａ）の動作の下で曲げられていることを特徴とする請求項３に記載のガスライター。
【請求項５】
前記停止部（３０）は環状の隆起を形成していることを特徴とする請求項１〜４のいずれか一項に記載のガスライター。
【請求項６】
前記チューブ要素（２２）の前記停止部（３０）は組み付けられていない状態において内向きに突出し、前記外側剛体部（８ａ）は円筒形であることを特徴とする請求項１〜３または５のいずれか一項に記載のガスライター。
【請求項７】
前記外側剛体部（８ａ）は剛体の環状突起（３８）を具備していることを特徴とする請求項１〜５のいずれか一項に記載のガスライター。
【請求項８】
前記弾性のチューブ要素（２２）は前記噴出部（６）の前記内壁に面した円筒部（２９、３０）を具備し、該円筒部（２９、３０）は一定の厚さを備えていることを特徴とする請求項７に記載のガスライター。
【請求項９】
前記噴出部（６）は内径ｄ１を示す円筒形状を備え、前記ガス分配デバイス（８）の前記外側剛体部（８ａ）は外径ｄ２を示す円筒形状を備え、前記弾性のチューブ要素（２２）の前記停止部（３０）は厚さＴを与えられて、関係式
２×Ｔ＋ｄ２＞ｄ１
を満たしていることを特徴とする請求項１〜８のいずれか一項に記載のガスライター。
【請求項１０】
前記弾性のチューブ要素（２２）は合成エラストマ、または熱可塑性ポリエステルエラストマで形成された一部品であることを特徴とする請求項１〜９のいずれか一項に記載のガスライター。
【請求項１１】
−燃料を収容することを意図され、且つ上壁（５）を備えた貯蔵部（２）と、
−前記上壁（５）を貫通した噴出部（６）と、
−少なくとも部分的に該噴出部（６）に配置されたガス分配デバイス（８）と、を具備し、
前記噴出部（６）は中心軸（Ｚ）に沿って延在し、且つ前記中心軸（Ｚ）と中心が一致した少なくとも１つの環状の第１端部（３４）を形成した内壁を備え、前記第１端部（３４）は前記貯蔵部（２）の内側に向かって向けられており、
前記ガス分配デバイス（８）は前記内壁の少なくとも一部に面した外側剛体部（８ａ）を備えたガスライター（１）を組み立てるための方法において
−前記噴出部（６）内に弾性のチューブ要素（２２）を挿入するステップと、次に
−前記噴出部（６）内のチューブ要素（２２）内に前記ガス分配デバイス（８）を挿入するステップと、次に
−前記ガス分配デバイス（８）の前記剛体部（８ａ）の動作の下で、前記第１端部（３４）に対して前記チューブ要素（２２）の停止部（３０）を曲げるステップと、
−曲げられた前記停止部（３０）を介して前記チューブ要素（２２）を前記噴出部（６）内に固定するステップであって、前記弾性のチューブ要素（２２）の前記停止部（３０）と前記噴出部（６）の環状の前記第１端部（３４）との間の気密の接触を提供して、シールがＯリングシール無しに確保されるステップと、を含んでいることを特徴とする方法。
【発明の詳細な説明】
【技術分野】
【０００１】
本発明はガスライターおよびガスライターの部品を組み立てるための方法に関する。
【０００２】
より具体的には、本発明はタバコに火をつけるために特に適切なガスライターに関し、そのようなガスライターは、噴出部が貫通した上壁を備え且つ燃料を収容するように意図された貯蔵部と、噴出部内において少なくとも１つのチューブ要素が設けられたガス分配デバイスと、を具備している。
【背景技術】
【０００３】
貯蔵部の噴出部内に分配デバイスのチューブ要素を保持するために、噴出部のネジ切りされた上部内にねじ込まれたネジリングを具備した結合の形成を使用して、チューブ要素とＯリングを具備したシール要素を備えた噴出部との間のガスの漏れを防止することは周知であり、特許文献１の図１に図示されている。
【０００４】
このタイプの結合の１つの利点は、特にアモルファスポリまで形成された貯蔵部を使用し得ることである。ＳＡＮ（スチレン−アクリロニトリル）およびＡＢＳ（アクリロニトリル−ブタジエン−スチレン）を含んだアモルファスポリマは、ガスライターの貯蔵部を製造する場合にいくつかの利点を有する。それらは全体的に使用が容易であり、ＳＡＮのようなあるアモルファスは透明であり、そのことは貯蔵タンク内に残っている液相の燃料のレベルが見られる利点を有する。しかしながら、これらのアモルファスポリマは室温において比較的脆く、なぜならばその弾性限における伸びが小さく、一般的に５％よりも小さいからである。ネジリングを使用したチューブ要素の結合は、加圧嵌めとは異なり、噴出部の壁内における引張応力を実質的に生じない。
【先行技術文献】
【特許文献】
【０００５】
【特許文献１】国際公開第０１／１８４５２号パンフレット
【特許文献２】米国特許第４，４９６，３０９号明細書
【発明の概要】
【発明が解決しようとする課題】
【０００６】
しかしながら、ネジリングと噴出部のネジ切りされたネジ部とは、比較的複雑なモールド型の使用を必要とし、ストリップ作業が長くなる。それに加えて、ライターを組み立てるときにリングを噴出部にねじ込む作業は比較的困難であり、自動化された製造工程において実行時間が長くなる。さらに、少なくとも１つのシール要素が、チューブ要素周囲の任意のガス漏れを防止するために必要とされる。結果的に、ガスライターの製造コストは顕著に増加する。
【０００７】
したがって、簡素化された構造のガスライターが必要とされており、一方で良好なシールを得られ、バルクが減少し、安全に使用でき、非限定的な例であるが、アモルファスポリマのような、可能な限り適切な脆さの材料の貯蔵部を残すことが必要とされている。
【課題を解決するための手段】
【０００８】
本発明の実施形態は、
−燃料を収容することを意図され、且つ上壁を備えた貯蔵部と、
−上壁を貫通した噴出部と、
−少なくとも部分的に噴出部に配置されたガス分配デバイスと、を具備し、
噴出部は中心軸に沿って延在し、且つ内壁を備え、
ガス分配デバイスは内壁の少なくとも一部に面した外側剛体部を備えたガスライターにおいて、
ガスライターはさらに少なくとも１つの停止部を備えた弾性のチューブ要素を備え、該チューブ要素は噴出部に組み付けられ、ガス分配デバイスの剛体部はその中に挿入され、噴出部は少なくとも１つの環状の第１端部を備え、第１端部は中心軸と中心が一致しており、且つチューブ要素の停止部が弾性のチューブ要素内に挿入されたガス分配デバイスの剛体部の動作の下で径方向外向きに曲げられ、第１端部は貯蔵部の内側に向かって向けられていることを特徴とするガスライターである。
【０００９】
この処置の利点によって、貯蔵部の上壁は比較的滑らかな壁を備え、（噴出部内にネジ切り部が無く）製造がより容易である。さらに、貯蔵部へのガス分配デバイスの結合はより容易になる。なぜならば、要求される全ては、弾性のチューブ要素が噴出部内に配置された後、ガス分配デバイスが固定位置に挿入されるときにチューブ要素が固定されることだからである。
【００１０】
別の特徴によれば、第１端部は環状である。
【００１１】
別の特徴によれば、貯蔵部の内側に向かって向けられている。したがって、チューブ要素は上部から挿入されてもよく、このチューブ要素の上向きの移動が防止されている。
【００１２】
別の特徴によれば、第１端部は噴出部の内側端である。この処置は上壁に関する成型作業を容易にしている。
【００１３】
別の特徴によれば、噴出部は第１端部に対して反対に向けられた少なくとも１つの第２端部を備え、弾性のチューブ要素は第２端部に対して係合する少なくとも１つの停止部を備えている。
【００１４】
別の特徴によれば、第２端部は第１端部に面し、第１端部を含んだ面と第２端部を含んだ面とは噴出部の内壁に凹部を形成し、チューブ要素の停止部は弾性のチューブ要素内に挿入されたガス分配デバイスの剛体部の動作の下で曲げられている。そのような実施形態において、曲げられた部分は上壁内において径方向に拡張され、弾性のチューブ要素は材料を節約するためにより短い長さとし得る。
【００１５】
別の特徴によれば、停止部は環状の隆起を形成している。
【００１６】
別の特徴によれば、チューブ要素の停止部は組み付けられていない状態において内向きに突出し、外側剛体部は円筒形である。そのような処置を伴って、ガス分配デバイスは円筒形状の標準的な構成であってもよい。
【００１７】
別の特徴によれば、外側剛体部は剛体の環状突起を具備している。この処置の１つの利点は、適切な固定位置が弾性のチューブ要素の停止部の滑らかな曲げと共に得られることである。
【００１８】
別の特徴によれば、弾性のチューブ要素は噴出部の内壁に面した円筒部を具備し、円筒部は一定の厚さを備えている。弾性のチューブ要素はこれによって容易に製造される。
【００１９】
別の特徴によれば、噴出部は内径ｄ１を示す円筒形状を備え、ガス分配デバイスの外側剛体部は外径ｄ２を示す円筒形状を備え、弾性のチューブ要素の停止部は厚さＴを与えられて、関係式
２×Ｔ＋ｄ２＞ｄ１
を満たしている。したがって、停止部は外側剛体部によって径方向外向きに押圧され、この停止部は曲げ空間または凹部によって貫通され、その空間は噴出部の全体的に円筒形状に対して径方向に離間されている。
【００２０】
別の特徴によれば、弾性のチューブ要素の停止部は噴出部と気密に接触している。このことは付加的なＯリング無しに燃料が漏れることを防止している。
【００２１】
別の特徴によれば、弾性のチューブ要素は合成エラストマ、好適に熱可塑性ポリエステルエラストマで形成された一部品である。この特別な材料はガス気密性と、（プラスチックのような）十分な強度と、（ゴムのような）良好な弾性と、射出成型の可能性と、引き裂き、曲げ亀裂成長、クリープ、および磨耗に対する強い抵抗性と、を提供する。弾性チューブ要素のこれらの特性とサイズ適合とは、ガス分配デバイスの垂直移動を防止している。
【００２２】
本発明の１つの目的は、ガスライター貯蔵部の噴出部内へのガス分配アセンブリの容易な組み付けを提供することでもある。
【００２３】
したがって、本発明によりガスライターの組み立ての方法がさらに提案されており、その方法は、
−燃料を収容することを意図され、且つ上壁を備えた貯蔵部と、
−上壁を貫通した噴出部と、
−少なくとも部分的に噴出部に配置されたガス分配デバイスと、を具備し、
噴出部は中心軸に沿って延在し、且つ中心軸と中心が一致した少なくとも１つの環状の第１端部を形成した内壁を備え、環状の第１端部は貯蔵部の内側に向かって向けられており、
ガス分配デバイスは内壁の少なくとも一部に面した外側剛体部を備えたガスライターを組み立てるための方法において
−噴出部内に弾性のチューブ要素を挿入するステップと、次に
−噴出部内のチューブ要素（２２）内にガス分配デバイスを挿入するステップと、次に
−ガス分配デバイスの剛体部の動作の下で、第１端部に対してチューブ要素の停止部を曲げるステップと、
−曲げられた停止部を介してチューブ要素を噴出部内に固定するステップと、
を含んでいる。
【００２４】
他の特徴および利点は、添付図を参照すると共に非限定的な実施例を使用して与えられた以下の記載により、当業者に明確になるだろう。
【図面の簡単な説明】
【００２５】
【図１】本発明による第１の実施形態の簡略化された垂直断面を示した図であり、ガス分配デバイスの組み付け前の状態である。
【図２】第１の実施形態による組み付けられた状態のガスライターの上部の垂直断面を示した図である。
【図３】本発明による第２の実施形態の簡略化された垂直断面を示した図であり、ガス分配デバイスの組み付け前の状態である。
【図４】第２の実施形態による組み付けられた状態のガスライターの上部の垂直断面を示した図である。
【図５】本発明による第３の実施形態の簡略化された垂直断面を示した図であり、ガス分配デバイスの組み付け前の状態である。
【図６】本発明による第４の実施形態の簡略化された垂直断面を示した図であり、ガス分配デバイスの組み付け前の状態である。
【発明を実施するための形態】
【００２６】
様々な図において、同一の参照符号は同一または類似の要素を指定するために使用されている。
【００２７】
本発明の理解を促進する目的のために、言及は図１〜６に示された４つの典型的且つ非限定的な実施形態について行われる。図２および４に示されたように、ガスライターは貯蔵部２を具備し、そこはイソブタンのような加圧され且つ部分的に液相の燃料を収容することを意図されている。
【００２８】
図２および４に示されたように、貯蔵部２はボウル３の形状であってもよく、ボウル３は好適にＵ字断面であり、図２には図示されていないが底壁を備え、底壁から上端４へと上向きに延在した環状の側壁を備えている。
【００２９】
上端４は図示された実施例においては上壁５によって閉鎖されており、以下に限定されるものではないが、接着、糊付け、溶接、摩擦接合、圧入を含む当業者に知られた任意の方法によってボウル３に固定された別部品であってもよい。代替的に、上壁５はボウル３と一体化された部品として製造されてもよい。
【００３０】
貯蔵部２は好適に少なくとも１つの剛体アモルファスポリマ材料から製造されており、それは例えば、ＡＢＳ（アクリロニトリル−ブタジエン−スチレン）、ＳＡＮ（スチレン−アクリロニトリル）等を含むものである。したがって、貯蔵部は射出成型とすることが可能である。代替的に、実施例によれば、ボウル３はＳＡＮから製造され、一方で上壁５はＡＢＳから製造されており、その逆も可能であり、例えば超音波シール、接着、超音波溶接、糊付けなどの周知の方法において、これらの材料を一体に接合している。
【００３１】
そのようなアモルファスポリマの利点は、比較的安価であり且つ使用、処理、製造および部品形成が容易な点である。さらに、ＳＡＮのようなアモルファスポリマは透明であってもよく、ガスライターに関して、ユーザが貯蔵部内に残存した液体燃料のレベルを見ることを可能にしている。
【００３２】
他のアモルファスタイプのポリマが使用されてもよく、その機械的および化学的特性はガスライター内に使用されるのに準拠したものが提供される。
【００３３】
貯蔵部の上壁５は噴出部６をさらに備え、図示された実施例においては、それは垂直軸Ｚに沿って延在しており、有利に環状に対称な円筒形状であってもよい。
【００３４】
一般的に言うと、噴出部６はガス分配デバイス８を受容することが可能であり、そのデバイスは貯蔵部２の上にあるライターのヘッド１０によって担持された操作デバイス９によって作動される。図示された実施形態において、ヘッド１０はヘッド１０上のキャッチ１１（すなわちスタッド）によって貯蔵部の上壁に対して好適に保持されており、キャッチ１１は貯蔵部２の上壁５内に成型された相補的なキャッチ１２とスナップフィットまたはクリッピングによって協働する。
【００３５】
ヘッド１０は点火デバイス１４と風防１３とを取り付けるための支持部も形成しており、風防１３は風または通風に対してスクリーンまたはシールドを形成している。
【００３６】
点火デバイス１４は一般的に広く知られた技術であり、例えばスパークホイル１５と火打石１６を具備し、火打石１６は、ヘッド１２内で円形キャビティ１８内に受容されたバネ１７によって、スパークホイル１５に対して押圧されるように保持されている。相補的なキャビティ１９は貯蔵部２の上壁５内に形成されて、ヘッド１２のキャビティ１８に対応している。しかしながら、圧電デバイスなどの他のタイプの点火デバイスを使用することももちろん可能である。
【００３７】
図２および４にさらに示されているように、分配デバイス８はチューブ要素２２と接続されており、金属または適切な合金で形成された外側チューブ２３を含んでいてもよい。外側チューブ２３の下部２４はガス流速を調節するための調節デバイスを好適に備え、調節デバイスは例えば微多孔膜２５であってもよい。この微多孔膜２５は一方向延伸ポリプロピレンを好適に含み、特許文献２に記載されたように細長い形状の小孔を備えている。微多孔膜２５は外側チューブ２３の内側ショルダ２３ａに対して好適に保持されており、ショルダ２３ａは外側チューブ２３の下端２４の近傍に形成されており、したがって、微多孔膜２５がショルダ２３ａの中心に形成されたオリフィス２６をカバーすることを可能にしている。微多孔膜２５は剛体リング２７によってショルダ２３ａの底面に対して好適に押圧されており、剛体リング２７は、それ自身外側チューブ２３の下端２４をクリンピングすることによって、外側チューブ２３の底部に維持されている。
【００３８】
分配デバイス８は、点火デバイス１４の近傍に開口したガス流出ダクト４１を備えたバルブ４０を好適に含んでいる。ダクト４１は分配デバイス８の下部に配置されたシャッター４２を好適に含んでいる。好適に、シャッター４２はエラストマ材料から形成されており、ダクト４１がチューブ要素２２の長手軸Ｚに沿って移動するときに、ガス通過オリフィス２６を閉鎖するように設計されている。好適に、ダクト４１は、外側チューブ２３の内部との連通を提供するために、シャッター４２の近傍に形成されたスロット４３も含んでいる。
【００３９】
さらに、操作デバイス９はヘッド１２に固定されたピンに対して傾くように組み付けられたフォーク４５を含んでいる。フォーク４５は第１端部４６と第２端部４９とを備えている。第１端部４６は、外側チューブ２３から持ち上がったダクト４１の上端に形成された下部ショルダ４７および上部ショルダ４８と協働し、これによってユーザがフォーク４５の第２端部４９を押圧したときに、ガス分配デバイス８が持ち上がることを可能にしている。ユーザがフォーク４５の第２端部４９を押圧したとき、バルブ４０が開かれ、貯蔵部２からガスを放出する。
【００４０】
好適に、圧縮ばね５０がフォーク４５の第２端部４９の下側と貯蔵部２の上壁５との間に配置されており、これによってフォーク４５を上方に付勢し、ライターが使用されないときにバルブを閉位置内に付勢している。
【００４１】
図１および２に示された第一の好適な実施形態において、分配デバイス８は弾性チューブ要素２２と接続されている。このチューブ要素２２は好適に円筒形状であり、噴出部６内において貯蔵部２の上壁５を係合するために環状に対称となっている。チューブ要素２２はガスによって劣化されない弾性プラスチック材料から形成されている。好適に、チューブ要素２２は熱可塑性ポリエステルエラストマから形成された弾性の単一部品である。例えば、ハイトレル（登録商標）という名称のエラストマは適切な選択である。代替的に、チューブ要素２２は、特に高強度且つ適切な可撓性の類似した特性を備えた別のポリマから形成されている。特に図１および５に見られているように、チューブ要素２２が最初に噴出部６内に導入され、その後分配デバイス８が挿入されてもよい。分配デバイス８は、金属または適切な合金で形成された外側チューブ２３を含んでいる。チューブ要素２２の弾性材料は十分な可撓性を提供し、外側チューブ２３がチューブ要素２２内に滑らかに適合することを可能にしている。
【００４２】
図１に示されているように、チューブ要素２２は少なくとも３つの部分を具備しており、それは噴出部６の上に好適に配置された第１端部のヘッド２８と、噴出部６内に完全に挿入された中間部２９と、第２端部の停止部３０と、である。停止部３０は、分配デバイス８の外側チューブ２３によって固定されるように設計されている。中間部２９と停止部（下部）３０とは柔軟な挿入部品を形成し、その部品は噴出部の内径にほぼ一致した初期外径を好適に備えている。柔軟な挿入部品は噴出部６よりも好適に長い。ヘッド２８は追加として考慮されてもよい。
【００４３】
ヘッド２８に形成された外周リム３１は噴出部６の環状の上端３２に隣接している。外周リム３１はフランジリングまたはそれに類似の保持要素によって形成され、噴出部６に関係したチューブ要素２２の下向きの移動を防止している。
【００４４】
チューブ要素２２の上向の移動を防止するために、好適に環状の突起３３がチューブ要素２２の停止部３０の内面に設けられている。言い換えると、停止部３０は内向きに突出している。
【００４５】
図１および２に示されているように、チューブ要素２２は噴出部６の両側に突出している。環状の突起３３は停止部３０の内面に形成されており、その高さはチューブ要素２２が上壁５の下で貯蔵部２の内部に突出した位置である。
【００４６】
中間部２９は円筒形であり、その厚さはこの環状の突起３３に設けられた停止部３０の厚さＴよりも薄い。図１に示されているように、チューブ要素２２は最初に噴出部６内に取り付けられ、その後分配デバイス８がチューブ要素２２内に取り付けられたときに環状の突起３３が径方向外側に移動する。図２に示された組み付け状態において、分配デバイス８は噴出部６の内壁に面した外部剛体部８ａを提供している。この外部剛体部８ａは外側チューブ２３と一体にまたは非一体に形成されてもよく、特に環状の突起３３と接触していてもよい。
【００４７】
図２に示されているように、外側チューブ２３は厚さの超過分が設けられた領域において停止部３０を圧迫しており、その結果、噴出部６の１つのリムまたは端部３４を越えて径方向に停止部３０を曲げている。言い換えると、分配デバイス８がチューブ要素２２の内部に組み付けられたとき、分配デバイス８は停止部３０の拡張を引き起こし、チューブ要素２２の固定がこれによって行われ、そのあらゆる上向きの移動が防止される。
【００４８】
曲げられた停止部３０は外側チューブ２３および環状の端部３４と密接に接触し、噴出
部６の下端に隣接している。チューブ要素２２内の外側チューブ２３のシールおよび固定
は、停止部３０を介して得られている。分配デバイス８は、少なくともチューブ要素２２
の下部開口３５と上部開口３６との間において、ヘッド２８と中間部２９とにも接触して
いる。
【００４９】
代替の例示的な実施形態において、図５に見られているように、環状突起３３は中間部２９の内面を形成しており、その高さは噴出部６が内側凹部３７を具備している位置である。そのような実施形態において、停止部３０はチューブ要素２２の中間部であり、この停止部３０の一部は径方向に突出して、内側凹部３７内に貫通している。チューブ要素２２内での外側チューブ２３のシールおよび固定は、この場合環状突起３３を介しても得られている。２つまたはそれ以上の突起は停止部３０の異なった高さにおいて設けられていてもよく、噴出部６の内側凹部３７および／または外側凹部に対応して設けられていてもよい。保持摩擦が互いに向き合った２つの端部（３４、３７ａ）の間に固定された環状突起３３によって全体的に機能しているので、ヘッド２８は抑圧されている。第１端部３４は貯蔵部２の内部に向けられており、一方で第２端部３７ａは反対向きに向けられている。
【００５０】
別の実施形態に関係した図３および４を参照すると、環状の少なくとも１つの突起３８は下部２４の高さにおいて外側チューブ２３に形成されている。環状突起３８は連続的であってもなくてもよい。これによって、分配デバイス８は、上壁５の下の貯蔵部内に突出した位置においてその外径の増加を示している。チューブ要素２２の中間部２９と停止部３０とは好適に同一の厚さＴを有する。この場合、厚さの超過分は環状突起３８によって提供されている。
【００５１】
特に図４に示されているように、チューブ要素２２は噴出部６内に最初に導入され、その後分配デバイス８が挿入されてもよい。分配デバイス８がチューブ要素２２内に組み付けられたとき、環状突起３８の動作はチューブ要素２２の停止部３０の曲げを発生させる。その結果、分配デバイス８が組み付けられた状態において、停止部３０は中間部２９に対して径方向外側に拡張し、環状の隆起３９を形成している。この環状の隆起３９は、チューブ要素２２の噴出部６に対する上向きの移動を防止している。さらに、そのような曲げは、チューブ要素２２の停止部３０が噴出部６と気密に接触することをもたらしている。
【００５２】
図６に示されたような代替の例示的な実施形態において、環状突起３８は外側チューブ２３の中間部に形成されてもよく、その高さは噴出部６が凹部３７を具備している位置であってもよい。保持摩擦が環状突起３８の動きの下で中間部２９内に発生した環状の隆起によって全体的に機能しているので、ヘッド２８は抑圧されている。湾曲したプロファイルを備えたこの環状の隆起は、第１端部３４と第２端部３７ａとの間において固定されている。
【００５３】
チューブ要素２２の曲げられた部分と追加的にヘッド２８とは径方向の突起を提供し、噴出部６内の貯蔵部２の上壁５と共にチューブ要素２２を固定している。したがって、チューブ要素２２と上壁５とはネジ留めすることなくライターを形成するために組み立てられる。チューブ要素２２が貯蔵部２の上壁に係合するために必要とされる全ては、チューブ要素２２が上壁５の間において噴出部６内に導入され、分配デバイス８が組みつけられるときに部分的に曲げられることであるので、特に組み立てが容易である。さらに、チューブ要素２２と貯蔵部の上壁５とはネジを備えていないので、それらは生産割合を高くすることが可能なモールド成型を使用して生産されることが可能である。
【００５４】
噴出部６には内径ｄ１を備えた単純な円筒形状が設けられてもよい。外側チューブ２３は直径ｄ１よりも小さい最大外径ｄ２を備え、標準的な円筒形部品であってもよい。有利には、チューブ要素２２の停止部３０の最大厚さＴは、
２×Ｔ＋ｄ２＞ｄ１
の関係を満足する。
【００５５】
図示された非限定的な実施形態において、係止機構がヘッド２８とチューブ要素２２の曲げ部とを介して設けられている。簡素な構造およびアモルファスポリマのような適切な脆性の貯蔵部材料のガス装置、および特にガスライター１は、このようにして得られる。
【００５６】
本発明は好適な実施形態に関連して記載された。しかしながら、これらの実施形態は単に例示するものであり、本発明はそれらに限定されるものではない。他の変形および改良が添付の特許請求の範囲によって定義された本発明の範囲内において容易に形成されることが可能であり、したがって本発明は以下の特許請求の範囲によって限定されることを意図しているのみであるということは、当業者によって理解されるだろう。例えば、本発明は分配デバイス８と貯蔵部２とが設けられた任意のガス装置において実施されてもよい。
【符号の説明】
【００５７】
２  ・・・貯蔵部
３  ・・・ボウル
４  ・・・上端
５  ・・・上壁
６  ・・・噴出部
８  ・・・ガス分配デバイス
９  ・・・操作デバイス
１０  ・・・ヘッド
１３  ・・・風防
１４  ・・・点火デバイス
１５  ・・・スパークホイル
１６  ・・・火打石
２２  ・・・チューブ要素
２３  ・・・外側チューブ
２５  ・・・微多孔膜
２６  ・・・オリフィス
２７  ・・・剛体リング
２９  ・・・中間部
３０  ・・・停止部
３７  ・・・凹部
３８  ・・・環状突起
３９  ・・・環状の隆起
４０  ・・・バルブ
４１  ・・・ガス流出ダクト
４２  ・・・シャッター
４３  ・・・スロット
４５  ・・・フォーク
４７  ・・・下部ショルダ
４８  ・・・上部ショルダ
【図１】
0005542699.tif 000002
【図２】
0005542699.tif 000003
【図３】
0005542699.tif 000004
【図４】
0005542699.tif 000005
【図５】
0005542699.tif 000006
【図６】
0005542699.tif 000007